(57)【特許請求の範囲】
【請求項１】
一対の突起部を有するシールリングと、
前記シールリングが嵌着される端子収容部と、
前記一対の突起部が前方から圧入状態で挿通される一対の係止孔を有する一対のシール装着壁と、
前記一対のシール装着壁の後方に配され、前記一対のシール装着壁との間に前記一対の突起部を収容する一対の突起部収容空間が設けられた一対のシール保護壁とを備え、
前記一対のシール装着壁の上縁部と前記一対のシール保護壁の上縁部とは、一対の天井壁によって連結され、
前記一対のシール装着壁の側縁部と前記一対のシール保護壁の側縁部とは、一対の側壁によって連結され、前記一対の側壁は、一方の前記突起部を基準として他方の前記突起部とは反対側に位置する一方の側壁と、他方の前記突起部を基準として一方の前記突起部とは反対側に位置する他方の側壁と、からなり、
前記一対のシール装着壁と前記一対のシール保護壁は前後方向に対向する配置とされており、
前記一対の突起部収容空間が下方のみに開口している防水コネクタ。
【請求項２】
前記端子収容部の外周には、前方に開口する形態をなすフード部が設けられており、前記一対の側壁は、前記フード部と面一をなしている請求項１に記載の防水コネクタ。
【請求項３】
前記フード部には、一対の手持ち部が設けられており、前記一対の側壁は、前記一対の手持ち部の後方を含む領域に設けられている請求項２に記載の防水コネクタ。
【発明の詳細な説明】
【技術分野】
【０００１】
本明細書によって開示される技術は、防水コネクタに関する。
【背景技術】
【０００２】
従来、シールリングが装着された防水コネクタとして、特開２０１４−１３９８７３号公報（下記特許文献１）に記載の雌コネクタが知られている。この雌コネクタは雌ハウジングを有し、この雌ハウジングは、端子収容部と、端子収容部の回りに配されたフード部とを有している。端子収容部の外周には、ゴム製のシールリングが嵌着され、シールリングの後端部には、後方に向けて先細りとなった頭部が設けられている。一方、フード部の奥壁には、シールリングの頭部が緊密に挿通される係止孔が貫通して設けられている。頭部が係止孔の孔縁部に対して後方から係止することで、シールリングが保持されている。
【先行技術文献】
【特許文献】
【０００３】
【特許文献１】特開２０１４−１３９８７３号公報
【発明の概要】
【発明が解決しようとする課題】
【０００４】
しかしながら、上記の構成では、シールリングの頭部が後方に露出しているため、外部からの衝撃を受けて頭部が前方に押し込まれた場合に、シールリングが脱落するおそれがある。また、外部からの衝撃によって頭部が切断・破損した場合にも同様に、シールリングが脱落するおそれがある。そして、シールリングが脱落すると、シール性能が低下してしまう。
【課題を解決するための手段】
【０００５】
本明細書によって開示される防水コネクタは、突起部を有するシールリングと、前記シールリングが嵌着される端子収容部と、前記突起部が前方から圧入状態で挿通される係止孔を有するシール装着壁と、前記シール装着壁の後方に配され、前記シール装着壁との間に前記突起部を収容する突起部収容空間が設けられたシール保護壁とを備えた構成としてもよい。
【０００６】
このような構成によると、突起部がシール保護壁によって後方から覆われているため、後方からの衝撃によって突起部が前方に押し込まれることはなく、突起部が切断・破損することはない。したがって、シールリングの脱落を防ぐことができ、もってシール性能を維持することができる。
【０００７】
本明細書によって開示される防水コネクタは、以下の構成としてもよい。
前記シール装着壁の上縁部と前記シール保護壁の上縁部とは、天井壁によって連結されている構成としてもよい。
このような構成によると、突起部が天井壁によって上方から覆われているため、上方からの衝撃によって突起部が切断・破損することはない。
【０００８】
前記シール装着壁の側縁部と前記シール保護壁の側縁部とは、側壁によって連結されている構成としてもよい。
このような構成によると、突起部が側壁によって側方から覆われているため、側方からの衝撃によって突起部が切断・破損することはない。
【０００９】
前記フード部には、手持ち部が設けられており、前記側壁は、前記手持ち部の後方を含む領域に設けられている構成としてもよい。
このような構成によると、防水コネクタを手で持つ際に、手持ち部から側壁にかけて指を宛てがうことができるため、持ちやすくなる。
【発明の効果】
【００１０】
本明細書によって開示される防水コネクタによれば、シールリングの脱落を防ぐことができ、もってシール性能を維持することができる。
【図面の簡単な説明】
【００１１】
【図１】実施形態における防水コネクタを下方から見た図
【図２】防水コネクタの背面図
【図３】防水コネクタの側面図
【図４】防水コネクタの正面図
【図５】図４におけるＡ−Ａ線断面図
【図６】防水コネクタを斜め前方から見た図
【図７】防水コネクタを斜め後方から見た図
【図８】防水コネクタを斜め下方から見た図
【発明を実施するための形態】
【００１２】
＜実施形態＞
実施形態を図１から図８の図面を参照しながら説明する。本実施形態の防水コネクタ１０は、図６に示すように、複数のキャビティ２１が形成された端子収容部２０、端子収容部２０の外周に設けられたフード部３０、端子収容部２０とフード部３０の間に配されたゴム製のシールリング４０などを備えて構成されている。防水コネクタ１０は、図示しない相手側コネクタと嵌合可能とされ、以下においては相手側コネクタとの嵌合方向を前後方向として、相手側コネクタに嵌合する側を前側とする。
【００１３】
端子収容部２０のキャビティ２１は、前後方向に貫通する形態をなしている。キャビティ２１には、図示しない雌端子が後方から挿入されるようになっている。図６に示すように、キャビティ２１の前半側は角孔形状とされており、この部分に雌端子が収容される。一方、図７に示すように、キャビティ２１の後半側は円孔形状とされており、この部分にゴム栓（図示せず）が収容されることで、キャビティ２１に後方から水が浸入することを防ぐことができるものとされている。
【００１４】
フード部３０は、図６および図７に示すように、前方のみに開口する形態をなしている。図７に示すように、フード部３０の後壁は端子収容部２０の外周側面に連結されており、後述するように、フード部３０の後壁をシール保護壁３３というものとする。
【００１５】
フード部３０の上側には、ロック部３２を内部に収容するロック収容部３１が設けられている。ロック収容部３１の内部は、前後方向に貫通する形態をなしており、図６に示すように、フード部３０の内部とロック収容部３１の内部とは互いに連通している。
【００１６】
フード部３０の左右両側には、一対の手持ち部３４が設けられている。手持ち部３４は、図７に示すように、後方に向かうほど階段状をなしてフード部３０の内側に近づく形状とされている。手持ち部３４は、主に防水コネクタ１０を相手側コネクタに嵌合させる際に指を宛てがう部分である。この手持ち部３４に指を宛がいながら防水コネクタ１０を前方に押し込むことで相手側コネクタに嵌合させることができるようになっている。
【００１７】
図６に示すように、端子収容部２０の外周面には、シールリング４０が嵌着されている。シールリング４０の外周面には、複数条の外周リップ４１が周設されている。図４に示すように、シールリング４０は、端子収容部２０の外周面に沿う略方形の環状をなしている。相手側コネクタが端子収容部２０とフード部３０の間に嵌合すると、シールリング４０が相手側コネクタと端子収容部２０の外周面との間に挟持されることで端子収容部２０の内部がシール状態に保持される。
【００１８】
シールリング４０の短辺側の側縁には、一対の取付部４２が設けられている。取付部４２は、正面視において略方形をなす平板状とされ、フード部３０の奥壁３０Ａに設けられた取付凹部３５に前方から嵌合することでシールリング４０を正規の装着姿勢に位置決め可能とされている。図５に示すように、取付部４２は、シールリング４０の後端部に設けられている。
【００１９】
取付凹部３５が設けられている壁は、シール装着壁３６とされている。シール装着壁３６には、係止孔３７が設けられている。係止孔３７は、取付凹部３５の後方においてシール装着壁３６を前後方向に貫通する形態をなしている。一方、取付部４２の後面には、突起部４３が後方に突出して設けられている。突起部４３は、後方に向けて先細りとなる略円錐形状とされている。突起部４３のうち係止孔３７の直後に位置する最大径部分の直径は、係止孔３７の孔径よりも大きいものとされている。したがって、突起部４３は係止孔３７に対して前方から圧入状態で挿通され、突起部４３が縮径された状態で係止孔３７を通過すると、突起部４３が弾性的に復帰して係止孔３７の孔縁部に対して後方から係止することでシールリング４０が端子収容部２０に対して抜け止め状態で保持される。
【００２０】
ところで、シールリング４０の突起部４３が収容される突起部収容空間Ｓは、図８に示すように、下方のみに開口する形態をなしている。突起部収容空間Ｓの後壁は、前述したシール保護壁３３とされている。シール保護壁３３は、シール装着壁３６の後方に位置し、シール保護壁３３とシール装着壁３６は前後方向に対向する配置とされている。また、シール装着壁３６の上縁部とシール保護壁３３の上縁部とは、天井壁３８によって連結されている。さらに、シール装着壁３６の側縁部とシール保護壁３３の側縁部とは、側壁３９によって連結されている。図６に示すように、側壁３９は、フード部３０と面一をなしており、かつ、手持ち部３４の後端に連なって設けられている。図３に示すように、側壁３９の下端は、シール保護壁３３の下端よりも上方に位置し、手持ち部３４の下端よりもやや上方に位置している。
【００２１】
次に、シールリング４０の取付作業について簡単に説明する。シールリング４０を端子収容部２０の外周側に嵌着していくと、突起部４３の先端が係止孔３７に前方から進入する。突起部４３を係止孔３７の内壁によって圧縮させつつ後方へ押し込んでいくと、突起部４３が係止孔３７を通過したところで弾性的に復帰する。これにより、突起部４３が係止孔３７の孔縁部に対して後方から係止することでシールリング４０が正規の装着位置に保持される。ここで、シールリング４０が正規の装着位置に至ったことの確認は、突起部収容空間Ｓを下方から視認することによって行われる。すなわち、図１に示すように、突起部４３が自然状態に復帰していることをもってシールリング４０が正規の装着位置に至ったことを確認できる。
【００２２】
さらに、この状態では、突起部４３がシール保護壁３３によって後方から保護されているため、何らかの衝撃を受けて突起部４３が前方に押し込まれたり、突起部４３が切断・破損したりすることがない。したがって、シールリング４０が端子収容部２０から脱落することを回避できる。また、突起部収容空間Ｓの開口部から突起部４３までの間に、ある程度の距離が確保されているため、突起部収容空間Ｓの開口部から棒材などが侵入して突起部４３が切断・破損することも回避できる。
【００２３】
以上のように本実施形態では、突起部４３がシール保護壁３３によって後方から覆われているため、後方からの衝撃によって突起部４３が前方に押し込まれることはなく、突起部４３が切断・破損することはない。したがって、シールリング４０の脱落を防ぐことができ、もってシール性能を維持することができる。
【００２４】
シール装着壁３６の上縁部とシール保護壁３３の上縁部とは、天井壁３８によって連結されている構成としてもよい。
このような構成によると、突起部４３が天井壁３８によって上方から覆われているため、上方からの衝撃によって突起部４３が切断・破損することはない。
【００２５】
シール装着壁３６の側縁部とシール保護壁３３の側縁部とは、側壁３９によって連結されている構成としてもよい。
このような構成によると、突起部４３が側壁３９によって側方から覆われているため、側方からの衝撃によって突起部４３が切断・破損することはない。
【００２６】
フード部３０には、手持ち部３４が設けられており、側壁３９は、手持ち部３４の後方を含む領域に設けられている構成としてもよい。
このような構成によると、防水コネクタ１０を手で持つ際に、手持ち部３４から側壁３９にかけて指を宛てがうことができるため、持ちやすくなる。
【００２７】
＜他の実施形態＞
本明細書によって開示される技術は上記記述及び図面によって説明した実施形態に限定されるものではなく、例えば次のような種々の態様も含まれる。
（１）上記実施形態では、側壁３９と天井壁３８が設けられている（突起部収容空間Ｓが下方のみに開口している）ものを例示したが、少なくともシール保護壁３３が設けられているものであればよく、側壁３９と天井壁３８の双方もしくは一方が設けられていないものとしてもよい。
【００２８】
（２）上記実施形態では、側壁３９がフード部３０と面一をなしているものの、フード部３０と段差を介して連なる側壁としてもよい。
【００２９】
（３）上記実施形態では、手持ち部３４の後方に側壁３９が設けられているものの、手持ち部によって側壁を構成してもよい。
【符号の説明】
【００３０】
１０…防水コネクタ
２０…端子収容部
３０…フード部
３３…シール保護壁
３４…手持ち部
３６…シール装着壁
３７…係止孔
３８…天井壁
３９…側壁
４０…シールリング
４３…突起部
Ｓ…突起部収容空間
【図１】
0006672995.tif 000002
【図２】
0006672995.tif 000003
【図３】
0006672995.tif 000004
【図４】
0006672995.tif 000005
【図５】
0006672995.tif 000006
【図６】
0006672995.tif 000007
【図７】
0006672995.tif 000008
【図８】
0006672995.tif 000009